(57)【要約】【課題】内線による呼び出しが報知された端末から呼出元である端末へ内線により呼び出しを行う場合の呼出操作の利便性を向上させる。【解決手段】制御装置５により制御される集合玄関機および居室端末２ａ、２ｂ、２ｃのうち、特定の居室端末２ａからの内線による呼び出しがあり、この呼び出しが報知された際に応答操作が行われかった呼出先の居室端末２ｂでは、ＨＴＭＬ、ＸＭＬ等のマークアップ言語の記述内容でメニュー画面表示部１３に表示されるメニュー画面に設けられた内線先の居室端末２ａを示す内線ボタンについてタッチパネル１４を操作（タッチ操作）して選択することにより、この呼出操作を検出した制御部１５は、内線先の居室端末に該当する内線番号を内線番号記憶部１２から読み出すことができる。【選択図】  図２
2004235867.tif 000002
【特許請求の範囲】
【請求項１】
集合住宅の各住戸内に設置された居室端末（２ａ、２ｂ、２ｃ）と、前記集合住宅の集合玄関に設置され前記居室端末との呼び出し、通話を行うための集合玄関機（１）と、前記居室端末および前記集合玄関機を制御するための制御装置（４）とで構成され、
前記居室端末は、他の居室端末、前記集合玄関機および前記制御装置との間でデータ通信を行うためのデータ伝送部（１０）と、前記他の居室端末および前記集合玄関機との間で通話を行うための呼出通話部（１１）と、前記他の居室端末等の内線先の内線番号を記憶するための内線番号記憶部（１２）と、ＨＴＭＬ、ＸＭＬ等のマークアップ言語の記述内容で表示されたメニュー画面により前記他の居室端末等の内線先へ内線通話を行うためのメニュー画面表示部（１３）と、前記内線先を選択するためのタッチパネル（１４）と、前記データ伝送部、前記呼出通話部および前記メニュー画面表示部を制御するための制御部（１５）とを備えたことを特徴とするインターホン装置。
【請求項２】
病床毎に設置された子機端末（５１ａ、５１ｂ、５１ｃ）と、ナースセンター内に設置され前記子機端末との呼び出し、通話を行うためのナースコール親機（５２）と、前記子機端末および前記ナースコール親機を制御するための制御装置（５４）とで構成され、
前記子機端末は、他の子機端末、前記ナースコール親機および前記制御装置との間でデータ通信を行うためのデータ伝送部（６０）と、前記他の子機端末および前記ナースコール親機との間で通話を行うための呼出通話部（６１）と、前記他の子機端末または前記ナースコール親機の内線先の内線番号を記憶するための内線番号記憶部（６２）と、ＨＴＭＬ、ＸＭＬ等のマークアップ言語の記述内容で表示されたメニュー画面により前記他の子機端末または前記ナースコール親機の内線先へ内線通話を行うためのメニュー画面表示部（６３）と、前記内線先を選択するためのタッチパネル（６４）と、前記データ伝送部、前記呼出通話部および前記メニュー画面表示部を制御するための制御部（６５）とを備えたことを特徴とするインターホン装置。
【請求項３】
前記制御機は、前記ＨＴＭＬ、ＸＭＬ等のマークアップ言語の記述内容により表示されたメニュー画面等のコンテンツを発信するものであることを特徴とする請求項１または請求項２記載のインターホン装置。
【請求項４】
前記制御機は、前記ＨＴＭＬ、ＸＭＬ等のマークアップ言語の記述内容等のコンテンツを発信するための外部ネットワーク（３、５３）が接続されていることを特徴とする請求項１または請求項２記載のインターホン装置。
【請求項５】
前記居室端末または前記子機端末は、前記ＨＴＭＬ、ＸＭＬ等のマークアップ言語の記述内容から対応する内線番号を前記内線番号記憶部より参照し前記内線先へ内線通話を行うための制御部（１５、５５）を備えたことを特徴とする請求項１乃至請求項４何れか１項記載のインターホン装置。
【発明の詳細な説明】
【０００１】
【発明の属する技術分野】
本発明はインターホン装置に係り、特に、集合住宅向け、または病院向けに適用されるインターホン装置において、ＨＴＭＬ、ＸＭＬ等のマークアップ言語の記述言語より内線先へ内線通話を行うことができるインターホン装置に関する。
【０００２】
【従来の技術】
従来から、この種のインターホン装置として、個々に異なる内線番号を有する住戸親機と、この住戸親機の内線番号を他の住戸親機から受信すると、本装置を介して上述の内線番号を送出した住戸親機と内線番号に該当する住戸親機との通話回線を接続する中央制御装置とを設けた集合住宅用インターホンシステムが提案／開示されている（例えば、特許文献１参照）。
【０００３】
従来例の集合住宅用インターホンシステムにおいて、中央制御装置は、（内線元の）住戸親機が送出した内線番号を受信すると、当該中央制御装置を介して（（内線元の）住戸親機と内線番号に該当する（内線先の）住戸親機との間の回線を接続することができる。
【０００４】
【特許文献１】特開平８−１６３２５７号公報（段落番号００８、００９）
【発明が解決しようとする課題】
しかしながら、従来例の集合住宅用インターホンシステムにおいて、内線による呼び出しが報知された住戸親機から呼出元である住戸親機へ内線により呼び出しを行う場合には、住戸親機が有する専用のメニュー画面を利用して内線番号を入力せねばならず、呼出操作に煩雑さを有していた。
【０００５】
本発明は、上述の難点を解消するためになされたもので、内線による呼び出しが報知された端末から呼出元である端末へ内線により呼び出しを行う場合の呼出操作の利便性を向上させることができる集合住宅向け、または病院向けに適用されるインターホン装置を提供することを目的としている。
【０００６】
【課題を解決するための手段】
上述の目的を達成するため、本発明のインターホン装置は、集合住宅の各住戸内に設置された居室端末と、集合住宅の集合玄関に設置され居室端末との呼び出し、通話を行うための集合玄関機と、居室端末および集合玄関機を制御するための制御装置とで構成されている。居室端末は、他の居室端末、集合玄関機および制御装置との間でデータ通信を行うためのデータ伝送部と、他の居室端末および集合玄関機との間で通話を行うための呼出通話部と、他の居室端末等の内線先の内線番号を記憶するための内線番号記憶部と、ＨＴＭＬ、ＸＭＬ等のマークアップ言語の記述内容で表示されたメニュー画面により他の居室端末等の内線先へ内線通話を行うためのメニュー画面表示部と、内線先を選択するためのタッチパネルと、データ伝送部、呼出通話部およびメニュー画面表示部を制御するための制御部とを備えたものである。
【０００７】
このようなインターホン装置によれば、制御装置により制御される集合玄関機および居室端末のうち、特定の居室端末からの内線による呼び出しがあり、この呼び出しが報知された際に応答操作が行われなかった呼出先の居室端末では、ＨＴＭＬ、ＸＭＬ等のマークアップ言語の記述内容でメニュー画面表示部に表示されるメニュー画面に設けられた内線先の居室端末を示す内線ボタンについてタッチパネルを操作（タッチ操作）して選択することにより、この呼出操作を検出した制御部は、内線先の居室端末に該当する内線番号を内線番号記憶部から読み出すことができる。
【０００８】
また、本発明のインターホン装置は、病床毎に設置された子機端末と、ナースセンター内に設置され子機端末との呼び出し、通話を行うためのナースコール親機と、子機端末およびナースコール親機を制御するための制御装置とで構成されている。子機端末は、他の子機端末、ナースコール親機および制御装置との間でデータ通信を行うためのデータ伝送部と、他の子機端末およびナースコール親機との間で通話を行うための呼出通話部と、他の子機端末またはナースコール親機の内線先の内線番号を記憶するための内線番号記憶部と、ＨＴＭＬ、ＸＭＬ等のマークアップ言語の記述内容で表示されたメニュー画面により他の子機端末またはナースコール親機の内線先へ内線通話を行うためのメニュー画面表示部と、内線先を選択するためのタッチパネルと、データ伝送部、呼出通話部およびメニュー画面表示部を制御するための制御部とを備えたものである。
【０００９】
このようなインターホン装置によれば、制御装置により制御される子機端末およびナースコール親機のうち、特定の子機端末からの内線による呼び出しがあり、この呼び出しが報知された際に応答操作が行われなかった呼出先の子機端末では、ＨＴＭＬ、ＸＭＬ等のマークアップ言語の記述内容でメニュー画面表示部に表示されるメニュー画面に設けられた内線先の子機端末またはナースコール親機を示す内線ボタンについてタッチパネルを操作（タッチ操作）して選択することにより、この呼出操作を検出した制御部は、内線先の子機端末またはナースコール親機に該当する内線番号を内線番号記憶部から読み出すことができる。
【００１０】
また、本発明のインターホン装置において、制御機は、ＨＴＭＬ、ＸＭＬ等のマークアップ言語の記述内容により表示されたメニュー画面等のコンテンツを発信するものである。
【００１１】
また、本発明のインターホン装置において、制御機は、ＨＴＭＬ、ＸＭＬ等のマークアップ言語の記述内容等のコンテンツを発信するための外部ネットワークが接続されている。
【００１２】
このようなインターホン装置によれば、制御機に接続された外部ネットワークから発信されるＨＴＭＬ、ＸＭＬ等のマークアップ言語の記述内容をもとに、居室端末または子機端末のメニュー画面表示部に表示させるメニュー画面等のコンテンツを発信することができる。
【００１３】
また、本発明のインターホン装置において、居室端末または子機端末は、ＨＴＭＬ、ＸＭＬ等のマークアップ言語の記述内容から対応する内線番号を内線番号記憶部より参照し内線先へ内線通話を行うための制御部を備えたものである。
【００１４】
このようなインターホン装置によれば、居室端末または子機端末の制御部の制御により、ＨＴＭＬ、ＸＭＬ等のマークアップ言語の記述内容に対応する内線番号を内線番号記憶部から読み出すことができる。
【００１５】
【発明の実施の形態】
以下、本発明のインターホン装置を適用した好ましい形態の実施例について、図面を参照して説明する。
【００１６】
図１は、本発明の第１の実施例によるインターホン装置として、当該インターホン装置を集合住宅向けに適用した場合の構成図である。
【００１７】
図１の構成図に示すインターホン装置は、集合住宅の集合玄関に設置されており、来訪者が住戸内に在室中の居住者を呼び出して通話を行うための集合玄関機１と、集合住宅の各住戸内、ここでは、居室番号が「１０１」、「１０２」、「１０３」、内線番号が「１００１」、「１００２」、「１００３」に予め割り当てられた１０１号室内、１０２号室内、１０３号室内にそれぞれ設置されており、集合玄関に居る来訪者からの呼び出し、すなわち、集合玄関機１からの呼び出しが報知され、これを確認した居住者が来訪者との間で通話を行うとともに、居住者が他の住戸内に在室中の居住者を内線により呼び出して内線通話を行うための（複数台の）居室端末２ａ、２ｂ、２ｃと、集合住宅の管理室内等、ここでは、管理室内に設置されており、集合玄関に居る来訪者からの呼び出し、すなわち、集合玄関機１からの呼び出しが報知され、これを確認した管理人が来訪者との間で通話を行うとともに、管理人が特定の住戸内に在室中の居住者を内線により呼び出して内線通話を行うための管理室親機３と、ＨＴＭＬ（ＨｙｐｅｒＴｅｘｔ  ＭａｒｋｕｐＬａｎｇｕａｇｅ）、ＸＭＬ（ｅＸｔｅｎｓｉｂｌｅ  Ｍａｒｋｕｐ  Ｌａｎｇｕａｇｅ）等のマークアップ言語の記述内容等のコンテンツを発信するための例えば、インターネット網や外部パーソナルコンピュータ等の外部ネットワーク４と、集合住宅の共用部等に設置されており、玄関機ラインＬ１を介して接続された集合玄関機１、居室端末ラインＬ２を介してバス接続された居室端末２ａ、２ｂ、２ｃ、親機ラインＬ３を介して接続された管理室親機３およびネットワークラインＬ４を介して接続された外部ネットワーク４を制御するための制御装置５とで構成されている。
【００１８】
また、居室端末２ａ、２ｂ、２ｃはそれぞれ同様な構成であり、居室端末ラインＬ２にバス接続された他の居室端末および制御装置５と後述する呼出通話部１１および制御部１５との間でデータ通信を行うためのデータ伝送部１０と、呼出操作が行われた集合玄関機１または管理室親機３からの呼び出し、または他の居室端末からの内線による呼び出しがある旨を呼出音の発報をもとに報知するとともに、これを確認した居住者が呼出元である集合玄関に居る来訪者、または管理室内に在室中の管理人、または他の住戸内に在室中の居住者との間で通話（内線通話）を行うための呼出通話部１１と、他の居室端末等の内線先の内線番号、すなわち、上述の内線番号「１００１」、「１００２」、「１００３」のうち自端末に予め割り当てられている内線番号を除く当該内線番号等を記憶するための内線番号記憶部１２と、外部ネットワーク４から発信されるＨＴＭＬ、ＸＭＬ等のマークアップ言語の記述内容で表示されたメニュー画面により他の居室端末等の内線先へ内線通話を行うための表示機能とともに呼出表示機能を有するメニュー画面表示部１３と、メニュー画面表示部１３に表示されたメニュー画面より内線先をタッチ操作で選択するためのタッチパネル１４と、データ伝送部１０、呼出通話部１１、内線番号記憶部１２、メニュー画面表示部１３およびタッチパネル１４を制御するとともに計時機能を有する制御部１５とが備えられている。
【００１９】
このように構成された本発明の第１の実施例によるインターホン装置において、以下、具体的な動作について説明する。
【００２０】
なお、集合玄関に居る来訪者が特定の住戸内に在室中の居住者を呼び出して通話を行うための動作は従来例の該当動作と同様であることにより説明は省略するものとし、特定の住戸内に在室中の居住者と他の住戸内に在室中の居住者との間で内線通話を行うための動作、ここでは（居室端末２ａが設置された）１０１号室内に在室中の居住者と（居室端末２ｂが設置された）１０２号室内に在室中の居住者との間で内線通話を行うための動作について、図１の構成図、図２のブロック図、図５のフローチャート図および図６（ａ）の画面構成図を参照して説明する。
【００２１】
当該インターホン装置が待受状態において、図１の構成図に示す１０１号室内に在室中の居住者が１０２号室内に在室中の居住者を内線により呼び出すためには、図２のブロック図に示す居室端末２ａのメニュー画面表示部１３に予め表示されている呼出操作画面をもとに内線先の内線番号「１００２」をタッチパネル１４をタッチ操作して入力後、内線ボタンを選択する（詳述および図示せず）。また、居室端末２ａの制御部１５は、内線先の内線番号「１００２」を含む内線呼出信号をデータ伝送部１０へと出力する。この内線呼出信号は、データ伝送部１０、居室端末ラインＬ２、他の居室端末２ｂ、２ｃのデータ伝送部１０（１０、１０）を介して制御部１５（１５、１５）へとそれぞれ伝送されるばかりでなく、データ伝送部１０、居室端末ラインＬ２を介して制御装置５へと伝送される。
【００２２】
なお、図２のブロック図において、他の居室端末２ｂ、２ｃの制御部１５（１５、１５）は、居室端末２ａからの内線呼出信号が制御装置５からの信号でないことにより、当該内線呼出信号が無効であるとそれぞれ判断する。
【００２３】
また、図１の構成図において、制御装置５は、居室端末ラインＬ２を伝送されてきた内線呼出信号をもとに居室端末２ａから居室端末２ｂへの内線による呼び出しがあることを検出するとともに、居室端末ラインＬ２を介してバス接続されている居室端末２ａ、２ｂ、２ｃのうち内線先である居室端末２ｂへの音声チャンネルが空きであるか否か、すなわち、居室端末２ｂが呼出通話状態であるか否かを判断し、当該音声チャンネルが空き状態の場合には、居室端末２ｂに予め割り当てられている居室番号「１０２」を含む通話要求信号を居室端末ラインＬ２へと出力する。この通話要求信号は、居室端末ラインＬ２、図２のブロック図に示す居室端末２ａ、２ｂ、２ｃのデータ伝送部１０（１０、１０、１０）を介して制御部１５（１５、１５、１５）へとそれぞれ伝送される。
【００２４】
また、図２のブロック図において、居室端末２ａ、２ｂ、２ｃの制御部１５（１５、１５、１５）は、制御装置５からの通話要求信号に含まれている居室番号「１０２」と自端末に予め割り当てられている居室番号とを照合し、一致した場合にのみ呼出通話部１１（１１、１１、１１）を制御して呼出音を発報させるとともに、１０１号室内に在室中の居住者からの内線による呼び出しがある旨をメニュー画面表示部１３に表示させ、併せて所定の時間の計時を開始する。ここでは、１０２号室内に設置された居室端末２ｂの制御部１５のみ当該居室番号が「１０２」で一致することにより、上述の呼出報知が行われるとともに計時が開始される。
【００２５】
ここで、図２のブロック図に示す居室端末２ｂの制御部１５にて計時される所定の時間内において、１０２号室の居住者が住戸内に不在であり応答操作がないと、これを検出した制御部１５からデータ伝送部１０へと内線呼出不在信号が出力される。この内線呼出不在信号は、データ伝送部１０、居室端末ラインＬ２、他の居室端末２ａ、２ｃのデータ伝送部１０（１０、１０）を介して制御部１５（１５、１５）へとそれぞれ伝送されるばかりでなく、データ伝送部１０、居室端末ラインＬ２を介して制御装置５へと伝送される。
【００２６】
なお、図２のブロック図において、他の居室端末２ａ、２ｃの制御部１５（１５、１５）は、居室端末２ｂからの内線呼出不在信号が制御装置５からの信号でないことにより、当該内線呼出不在信号が無効であるとそれぞれ判断する。
【００２７】
また、図１の構成図ににおいて、制御装置５は、居室端末ラインＬ２を伝送されてきた内線呼出不在信号をもとに居室端末２ｂにて応答操作がないことを検出するとともに、ネットワークラインＬ４を介して接続された外部ネットワーク４から定期的に発信され予め保存されているＨＴＭＬ、ＸＭＬ等のマークアップ言語の記述内容等のコンテンツ、または当該制御装置の制御により外部ネットワーク４から受信した同様のコンテンツ、ここでは、図６（ａ）の画面構成図に示すように、１０１号室に在室中の居住者からの内線による呼び出しがあり至急の連絡を促す旨のメニュー画面１３ａに１０１号室への内線ボタン１３ｂを設けたコンテンツと信号送信先の居室端末２ｂに予め割り当てられている居室番号「１０２」とを含むコンテンツ信号を居室端末ラインＬ２へと出力する。このコンテンツ信号は、上述の通話要求信号と同様な経路を介して図２のブロック図に示す居室端末２ａ、２ｂ、２ｃの制御部１５（１５、１５、１５）へとそれぞれ伝送される。
【００２８】
また、図２のブロック図において、居室端末２ａ、２ｂ、２ｃの制御部１５（１５、１５、１５）は、それぞれ制御装置５からのコンテンツ信号に含まれている居室番号「１０２」と自端末に予め割り当てられている居室番号とを照合し、一致した場合にのみＨＴＭＬ、ＸＭＬ等のマークアップ言語の記述内容である１０１号室に在室中の居住者からの内線による呼び出しがあり至急の連絡を促す旨のメニュー画面１３ａに１０１号室への内線ボタン１３ｂを設けてメニュー画面表示部１３に表示させる。ここでは、１０２号室内に設置された居室端末２ｂの制御部１５のみ当該居室番号が「１０２」で一致することにより、図６（ａ）の画面構成図に示す上述の画面がメニュー画面表示部１３に表示される。
【００２９】
ここで、１０２号室内に在室中の居住者が１０１号室内に在室中の居住者を内線により呼び出すためには、図２のブロック図に示す居室端末２ｂのタッチパネル１４をタッチ操作してメニュー画面表示部１３に表示されている図６（ａ）の画面構成図に示すメニュー画面１３ａに設けられた内線ボタン１３ｂを選択する（図５のフローチャート図に示すステップＳＴ１、ＳＴ２）。また、居室端末２ｂの制御部１５は、内線ボタン１３ｂの選択操作をもとにＨＴＭＬ、ＸＭＬ等のマークアップ言語の記述内容より１０２号室への内線による呼び出しを検出して対応する内線先の内線番号「１００１」を内線番号記憶部１２から読みだし、読み出した内線先の内線番号「１００１」を含む内線呼出信号をデータ伝送部１０へと出力する（図５のフローチャート図に示すステップＳＴ３）。この内線呼出信号は、データ伝送部１０、居室端末ラインＬ２、他の居室端末２ａ、２ｃのデータ伝送部１０（１０、１０）を介して制御部１５（１５、１５）へとそれぞれ伝送されるばかりでなく、データ伝送部１０、居室端末ラインＬ２を介して制御装置５へと伝送される。
【００３０】
なお、図２のブロック図において、他の居室端末２ａ、２ｃの制御部１５（１５、１５）は、居室端末２ｂからの内線呼出信号が制御装置５からの信号でないことにより、当該内線呼出信号が無効であるとそれぞれ判断する。
【００３１】
また、図１の構成図において、制御装置５は、居室端末ラインＬ２を伝送されてきた内線呼出信号をもとに居室端末２ｂから居室端末２ａへの内線による呼び出しがあることを検出するとともに、居室端末ラインＬ２を介してバス接続されている居室端末２ａ、２ｂ、２ｃのうち内線先である居室端末２ａへの音声チャンネルが空きであるか否か、すなわち、居室端末２ａが呼出通話状態であるか否かを判断し、当該音声チャンネルが空き状態の場合には、居室端末２ａに予め割り当てられている居室番号「１０１」を含む通話要求信号を居室端末ラインＬ２へと出力する。この通話要求信号は、上述の通話要求信号、コンテンツ信号と同様な経路を介して図２のブロック図に示す居室端末２ａ、２ｂ、２ｃの制御部１５（１５、１５、１５）へとそれぞれ伝送される。
【００３２】
また、図２のブロック図において、居室端末２ａ、２ｂ、２ｃの制御部１５（１５、１５、１５）は、それぞれ制御装置５からの通話要求信号に含まれている居室番号「１０１」と自端末に予め割り当てられている居室番号とを照合し、一致した場合にのみ呼出通話部１１（１１、１１、１１）を制御して呼出音を発報させるとともに、１０２号室内に在室中の居住者からの内線による呼び出しがある旨をメニュー画面表示部１３に表示させ、併せて所定の時間の計時を開始する。ここでは、１０１号室内に設置された居室端末２ａの制御部１５のみ当該居室番号が「１０１」で一致することにより、上述の呼出報知が行われるとともに計時が開始される（図５のフローチャート図に示すステップＳＴ４）。
【００３３】
さらに、図２のブロック図において、上述の呼出報知を所定の時間内に確認した１０１号室内に在室中の居住者が居室端末２ａの呼出通話部１１にて適宜な応答操作を行うと、この呼出通話部１１の通話機能（詳述せず）とデータ伝送部１０、居室端末ラインＬ２、図１の構成図に示す制御装置５、居室端末ラインＬ２、居室端末２ｂのデータ伝送部１０を介して呼出通話部１１の通話機能（詳述せず）との間の通話路が形成され、形成された通話路を介して音声信号を送受信させることにより通話を行うことができる（図５のフローチャート図に示すステップＳＴ５、ＳＴ６）。一方、上述の応答操作が行われない場合には、計時中の所定の時間内に当該応答操作が行われるまでループ状態、すなわち、通話待機状態となる（図５のフローチャート図に示すステップＳＴ５、ＳＴ７）。
【００３４】
次に、本発明の第１の実施例と同様な効果であり、内線による呼び出しが報知された端末から呼出元である端末へ内線により呼び出しを行う場合の呼出操作の利便性を向上させることができるインターホン装置を、病院向けに適用させた場合について、以下、本発明の第２の実施例によるインターホン装置として図面を参照して説明する。
【００３５】
図３は、本発明の第２の実施例によるインターホン装置を示す構成図である。
【００３６】
図３の構成図に示すインターホン装置は、（病室内の）病床毎、ここでは、病床番号が「１」、「２」、「３」、内線番号が「５００１」、「５００２」、「５００３」に予め割り当てられた病床毎にそれぞれ設置されており、当該病床の患者がナースセンター内に在室中の看護師を呼び出して通話を行うとともに、当該病床の患者または医師、看護師等（以下、医療従事者という。）が他の病床の患者を内線により呼び出して内線通話を行うための（複数台の）子機端末５１ａ、５１ｂ、５１ｃと、ナースセンター内に設置されており、病床の患者からの呼び出し、すなわち、子機端末５１ａ、５１ｂ、５１ｃからの呼び出しが報知され、これを確認した看護師が病床の患者との間で通話を行うとともに、特定の病床の患者を呼び出す、または一斉に呼び出して通話を行うためのナースコール親機５２と、ＨＴＭＬ、ＸＭＬ等のマークアップ言語の記述内容等のコンテンツを発信するための例えば、インターネット網や外部パーソナルコンピュータ等の外部ネットワーク５３と、病院内の共用部等に設置されており、子機端末ラインＬ５１を介してバス接続された子機端末５１ａ、５１ｂ、５１ｃ、親機ラインＬ５２を介して接続されたナースコール親機５２およびネットワークラインＬ５３を介して接続された外部ネットワーク５３を制御するための制御装置５４とで構成されている。なお、ナースコール親機５２には、医療従事者が通話を行うために携帯するハンディナース端末等も含まれる。
【００３７】
また、子機端末５１ａ、５１ｂ、５１ｃはそれぞれ同様な構成であり、子機端末ラインＬ５１にバス接続された他の子機端末および制御装置５４と後述する呼出通話部６１および制御部６５との間でデータ通信を行うためのデータ伝送部６０と、呼出操作が行われた他の子機端末からの内線による呼び出し、またはナースコール親機５２からの呼び出しがある旨を呼出音の発報をもとに報知するとともに、これを確認した病床の患者が呼出元である他の病床の患者またはナースセンター内に在室中の看護師との間で通話（内線通話）を行うための呼出通話部６１と、他の子機端末の内線先の内線番号、すなわち、上述の内線番号「５００１」、「５００２」、「５００３」のうち自端末に予め割り当てられている内線番号を除く当該内線番号を記憶するための内線番号記憶部６２と、外部ネットワーク５３から発信されるＨＴＭＬ、ＸＭＬ等のマークアップ言語の記述内容で表示されたメニュー画面により他の子機端末の内線先へ内線通話を行うための表示機能とともに呼出表示機能を有するメニュー画面表示部６３と、メニュー画面表示部６３に表示されたメニュー画面より内線先をタッチ操作で選択するためのタッチパネル６４と、データ伝送部６０、呼出通話部６１、内線番号記憶部６２、メニュー画面表示部６３およびタッチパネル６４を制御するとともに計時機能を有する制御部６５とが備えられている。
【００３８】
このように構成された本発明の第２の実施例によるインターホン装置において、以下、具体的な動作について説明する。
【００３９】
なお、病床の患者がナースセンター内に在室中の看護師を呼び出して通話を行うための動作および上述の看護師が特定の病床の患者または一斉に呼び出して通話を行うための動作は従来例の該当動作と同様であることにより説明は省略するものとし、特定の病床の患者または医療従事者と他の病床の患者との間で内線通話を行うための動作、ここでは、（子機端末５１ａが設置された）病床番号「１」の病床の患者または医療従事者と（子機端末５１ｂが設置された）病床番号「２」の病床の患者との間で内線通話を行うための動作について、図３の構成図、図４のブロック図、図５のフローチャート図および図６（ｂ）の画面構成図を参照して説明する。
【００４０】
当該インターホン装置が待受状態において、図３の構成図に示す病床番号「１」の病床の患者または医療従事者が病床番号「２」の病床の患者を内線により呼び出すためには、図４のブロック図に示す子機端末５１ａのメニュー画面表示部６３に予め表示されている呼出操作画面をもとに内線先の内線番号「５００２」をタッチパネル６４をタッチ操作して入力後、内線ボタンを選択する（詳述および図示せず）。また、子機端末５１ａの制御部６５は、内線先の内線番号「５００２」を含む内線呼出信号をデータ伝送部６０へと出力する。この内線呼出信号は、データ伝送部６０、子機端末ラインＬ５１、他の子機端末５１ｂ、５１ｃのデータ伝送部６０（６０、６０）を介して制御部６５（６５、６５）へとそれぞれ伝送されるばかりでなく、データ伝送部６０、子機端末ラインＬ５１を介して制御装置５４へと伝送される。
【００４１】
なお、図４のブロック図において、他の子機端末５１ｂ、５１ｃの制御部６５（６５、６５）は、子機端末５１ａからの内線呼出信号が制御装置５４からの信号でないことにより、当該内線呼出信号が無効であるとそれぞれ判断する。
【００４２】
また、図３の構成図において、制御装置５４は、子機端末ラインＬ５１を伝送されてきた内線呼出信号をもとに子機端末５１ａから子機端末５１ｂへの内線による呼び出しがあることを検出するとともに、子機端末ラインＬ５１を介してバス接続されている子機端末５１ａ、５１ｂ、５１ｃのうち内線先である子機端末５１ｂへの音声チャンネルが空きであるか否か、すなわち、子機端末５１ｂが呼出通話状態であるか否かを判断し、当該音声チャンネルが空き状態の場合には、子機端末５１ｂに予め割り当てられている病床番号「２」を含む通話要求信号を子機端末ラインＬ５１へと出力する。この通話要求信号は、子機端末ラインＬ５１、図４のブロック図に示す子機端末５１ａ、５１ｂ、５１ｃのデータ伝送部６０（６０、６０、６０）を介して制御部６５（６５、６５、６５）へとそれぞれ伝送される。
【００４３】
また、図４のブロック図において、子機端末５１ａ、５１ｂ、５１ｃの制御部６５（６５、６５、６５）は、それぞれ制御装置５４からの通話要求信号に含まれている病床番号「２」と自端末に予め割り当てられている病床番号とを照合し、一致した場合にのみ呼出通話部６１（６１、６１、６１）を制御して呼出音を発報させるとともに、病床番号「１」の病床の患者または医療従事者からの内線による呼び出しがある旨をメニュー画面表示部６３に表示させ、併せて所定の時間の計時を開始する。ここでは、子機端末５１ｂの制御部６５のみ当該病床番号が「２」で一致することにより上述の呼出報知が行われるとともに計時が開始される。
【００４４】
ここで、図４のブロック図に示す子機端末５１ｂの制御部６５にて計時される所定の時間内において、患者が病床に不在であり応答操作がないと、これを検出した制御部６５からデータ伝送部６０へと内線呼出不在信号が出力される。この内線呼出不在信号は、データ伝送部６０、子機端末ラインＬ５１、他の子機端末５１ａ、５１ｃのデータ伝送部６０（６０、６０）を介して制御部６５（６５、６５）へとそれぞれ伝送されるばかりでなく、データ伝送部６０、子機端末ラインＬ５１を介して制御装置５４へと伝送される。
【００４５】
なお、図４のブロック図において、他の子機端末５１ａ、５１ｃの制御部６５（６５、６５）は、子機端末５１ｂからの内線呼出不在信号が制御装置５４からの信号でないことにより、当該内線呼出不在信号が無効であるとそれぞれ判断する。
【００４６】
また、図３の構成図において、制御装置５４は、子機端末ラインＬ５１を伝送されてきた内線呼出不在信号をもとに子機端末５１ｂにて応答操作がないことを検出するとともに、ネットワークラインＬ５３を介して接続された外部ネットワーク５３から定期的に発信され予め保存されているＨＴＭＬ、ＸＭＬ等のマークアップ言語の記述内容等のコンテンツまたは当該制御装置の制御により外部ネットワーク５３から受信した同様のコンテンツ、ここでは、図６（ｂ）の画面構成図に示すように、病床番号「１」の病床の患者または医療従事者からの内線による呼び出しがあり至急の連絡を促す旨のメニュー画面６３ａに病床番号「１」の病床への内線ボタン６３ｂを設けたコンテンツと信号送信先の子機端末５１ｂに予め割り当てられている病床番号「２」とを含むコンテンツ信号を子機端末ラインＬ５１へと出力する。このコンテンツ信号は、上述の通話要求信号と同様な経路を介して図４のブロック図に示す子機端末５１ａ、５１ｂ、５１ｃの制御部６５（１５、６５、６５）へとそれぞれ伝送される。
【００４７】
また、図４のブロック図において、子機端末５１ａ、５１ｂ、５１ｃの制御部６５（６５、６５、６５）は、それぞれ制御装置５４からのコンテンツ信号に含まれている病床番号「２」と自端末に予め割り当てられている病床番号とを照合し、一致した場合にのみＨＴＭＬ、ＸＭＬ等のマークアップ言語の記述内容である病床番号「１」の病床の患者からの内線による呼び出しがあり至急の連絡を促す旨のメニュー画面６３ａに病床番号「１」の病床への内線ボタン６３ｂを設けてメニュー画面表示部６３に表示させる。ここでは、子機端末５１ｂの制御部６５のみ当該病床番号が「２」で一致することにより、図６（ｂ）の画面構成図に示す上述の画面がメニュー画面表示部６３に表示される。
【００４８】
ここで、病床番号「２」の病床の患者が病床番号「１」の病床の患者または医療従事者を内線により呼び出すためには、図４のブロック図に示す子機端末５１ｂのタッチパネル６４をタッチ操作してメニュー画面表示部６３に表示されている図６（ｂ）の画面構成図に示すメニュー画面６３ａに設けられた内線ボタン６３ｂを選択する（図５のフローチャート図に示すステップＳＴ５１、ＳＴ５２）。また、子機端末５１ｂの制御部６５は、内線ボタン６３ｂの選択操作をもとにＨＴＭＬ、ＸＭＬ等のマークアップ言語の記述内容より病床番号「１」の病床への内線による呼び出しを検出して対応する内線先の内線番号「５００１」を内線番号記憶部６２から読みだし、読み出した内線先の内線番号「５００１」を含む内線呼出信号をデータ伝送部６０へと出力する（図５のフローチャート図に示すステップＳＴ５３）。この内線呼出信号は、データ伝送部６０、子機端末ラインＬ５１、他の子機端末５１ａ、５１ｃのデータ伝送部６０（６０、６０）を介して制御部６５（６５、６５）へとそれぞれ伝送されるばかりでなく、データ伝送部６０、子機端末ラインＬ５１を介して制御装置５４へと伝送される。
【００４９】
なお、図４のブロック図において、他の子機端末５１ａ、５１ｃの制御部６５（６５、６５）は、子機端末５１ｂからの内線呼出信号が制御装置５４からの信号でないことにより、当該内線呼出信号が無効であるとそれぞれ判断する。
【００５０】
また、図３の構成図において、制御装置５４は、子機端末ラインＬ５１を伝送されてきた内線呼出信号をもとに子機端末５１ｂから子機端末５１ａへの内線による呼び出しがあることを検出するとともに、子機端末ラインＬ５１を介してバス接続されている子機端末５１ａ、５１ｂ、５１ｃのうち内線先である子機端末５１ａへの音声チャンネルが空きであるか否か、すなわち、子機端末５１ａが呼出通話状態であるか否かを判断し、当該音声チャンネルが空き状態の場合には、子機端末５１ａに予め割り当てられている病床番号「１」を含む通話要求信号を子機端末ラインＬ５１へと出力する。この通話要求信号は、上述の通話要求信号、コンテンツ信号と同様な経路を介して図４のブロック図に示す子機端末５１ａ、５１ｂ、５１ｃの制御部６５（６５、６５、６５）へとそれぞれ伝送される。
【００５１】
また、図４のブロック図において、子機端末５１ａ、５１ｂ、５１ｃの制御部６５（６５、６５、６５）は、それぞれ制御装置５４からの通話要求信号に含まれている病床番号「１」と自端末に予め割り当てられている病床番号とを照合し、一致した場合にのみ呼出通話部６１（６１、６１、６１）を制御して呼出音を発報させるとともに、病床番号「２」の病床の患者からの内線による呼び出しがある旨をメニュー画面表示部６３に表示させ、併せて所定の時間の計時を開始する。ここでは、子機端末５１ａの制御部６５のみ当該病床番号が「１」で一致することにより上述の呼出報知が行われるとともに計時が開始される（図５のフローチャート図に示すステップＳＴ５４）。
【００５２】
さらに、図４のブロック図において、上述の呼出報知を所定の時間内に確認した病床番号「１」の病床の患者または医療従事者が子機端末５１ａの呼出通話部６１にて適宜な応答操作を行うと、この呼出通話部６１の通話機能（詳述せず）とデータ伝送部６０、子機端末ラインＬ５１、図３の構成図に示す制御装置５４、子機端末ラインＬ５１、子機端末５１ｂのデータ伝送部６０を介して呼出通話部６１の通話機能（詳述せず）との間の通話路が形成され、形成された通話路を介して音声信号を送受信させることにより通話を行うことができる（図５のフローチャート図に示すステップＳＴ５５、ＳＴ５６）。一方、上述の応答操作が行われない場合には、計時中の所定の時間内に当該応答操作が行われるまでループ状態、すなわち、通話待機状態となる（図５のフローチャート図に示すステップＳＴ５５、ＳＴ５７）。
【００５３】
なお、本発明の第１、第２の各実施例によれば、集合住宅の住戸内に設置された居室端末および（病院内の）病床毎に設置された子機端末の設置数を３台として説明したが、これに限定されず、より複数台の居室端末（２ａ、２ｂ、２ｃ、・・・）を有する大規模な集合住宅向けに適用するインターホン装置や、より複数台の子機端末（５１ａ、５１ｂ、５１ｃ、・・・）を有する多病床で大規模な病院向けに適用するインターホン装置も好適とされ同様な効果を奏する。
【００５４】
また、本発明の第１の実施例によれば、当該インターホン装置を適用させる集合住宅向けとして内線通話を行う端末を、集合住宅の住戸内に設置される居室端末２ａ、２ｂ、２ｃのうち任意の２台の居室端末としたが、これに限定されず、居室端末２ａ、２ｂ、２ｃの内線番号記憶部１２に記憶される内線先の内線番号として管理室親機３に予め割り当てられている管理室番号を記憶させることにより、管理室内に在室中の管理人が呼び出した特定の居住者が住戸内に不在であり応答操作がない場合において、内線による呼び出しが報知された居室端末では、外部ネットワーク４から発信されたＨＴＭＬ、ＸＭＬ等のマークアップ言語の記述内容である管理室内に在室中の管理人からの内線による呼び出しがあり至急の連絡を促す旨のメニュー画面に管理室への内線ボタンを設けたコンテンツがメニュー画面表示部１３に表示され、これを確認した居住者がタッチパネル１４をタッチ操作して内線ボタンを選択することにより、この呼出操作を検出した制御部１５が内線先の管理室親機３に該当する内線番号を内線番号記憶部１２から読み出すことができ内線による呼び出しが可能となる（詳述せず）。
【００５５】
また、本発明の第１の実施例によれば、管理室親機３が設置される管理室を有する集合住宅向けのインターホン装置について説明したが、これに限定されず、管理室が備えられていない当該インターホン装置も好適とされる。
【００５６】
さらに、本発明の第２の実施例によれば、当該インターホン装置を適用させる病院向けとして内線通話を行う端末を、病床毎に設置される子機端末５１ａ、５１ｂ、５１ｃのうち任意の２台の子機端末としたが、これに限定されず、子機端末５１、５１、５１ｃの内線番号記憶部６２に記憶される内線先の内線番号としてナースコール親機５２に予め割り当てられているナースコール番号を記憶させることにより、ナースセンター内に在室中に看護師が呼び出した特定の患者が病床に不在であり応答操作がない場合において、内線による呼び出しが報知された子機端末では、外部ネットワーク５３から発信されたＨＴＭＬ、ＸＭＬ等のマークアップ言語の記述内容であるナースセンター内に在室中の看護師からの内線による呼び出しがあり至急の連絡を促す旨のメニュー画面にナースセンターへの内線ボタンを設けたコンテンツがメニュー画面表示部６３に表示され、これを確認した患者がタッチパネル６４をタッチ操作して内線ボタンを選択することにより、この呼出操作を検出した制御部６５が内線先のナースコール親機５２に該当する内線番号を内線番号記憶部６２から読み出すことができ内線による呼び出しが可能となる（詳述せず）。
【００５７】
【発明の効果】
以上の説明から明らかなように、本発明のインターホン装置によれば、当該インターホン装置を集合住宅向けに適用し、集合住宅の住戸内に設置された居室端末のうち任意の２台の居室端末の間で内線通話を行うにあたり、内線元の居室端末での呼出操作として、外部ネットワークから発信されたＨＴＭＬ、ＸＭＬ等のマークアップ言語の記述内容でメニュー画面表示部に表示されるメニュー画面に設けられた内線先の居室端末を示す内線ボタンについてタッチパネルを操作（タッチ操作）して選択することにより、内線による呼び出しが報知された居室端末から呼出元である居室端末へ内線により呼び出しを行う場合の呼出操作の利便性を向上させることができる。
【００５８】
また、本発明のインターホン装置を病院向けとして適用し、（病院内の）病床毎に設置された子機端末のうち任意の２台の子機端末の間で内線通話を行うにあたり、内線元の子機端末での呼出操作として、外部ネットワークから発信されたＨＴＭＬ、ＸＭＬ等のマークアップ言語の記述内容でメニュー画面表示部に表示されるメニュー画面に設けられた内線先の子機端末を示す内線ボタンについてタッチパネルを操作（タッチ操作）して選択することにより、内線による呼び出しが報知された子機端末から呼出元である子機端末へ内線により呼び出しを行う場合の呼出操作の利便性を向上させることができる。
【図面の簡単な説明】
【図１】図１は、本発明の第１の実施例によるインターホン装置を示す構成図である。
【図２】図２は、本発明の第１の実施例によるインターホン装置において、居室端末の具体的な構成を示すブロック図である。
【図３】図３は、本発明の第２の実施例によるインターホン装置を示す構成図である。
【図４】図４は、本発明の第２の実施例によるインターホン装置において、子機端末の具体的な構成を示すブロック図である。
【図５】図５は、本発明の第１、第２の各実施例によるインターホン装置において、内線元の居室端末または子機端末から内線先の居室端末または子機端末を呼び出して通話（内線通話）を行う場合の動作を示すフローチャート図である。
【図６】図６（ａ）は、本発明の第１の実施例によるインターホン装置において、内線元の居室端末のメニュー画面表示部に表示されるメニュー画面の一例を示す画面構成図である。図６（ｂ）は、本発明の第２の実施例によるインターホン装置において、内線元の子機端末のメニュー画面表示部に表示されるメニュー画面の一例を示す画面構成図である。
【符号の説明】
１・・・・・集合玄関機
２ａ、２ｂ、２ｃ・・・・・居室端末
１０・・・・・データ伝送部
１１・・・・・呼出通話部
１２・・・・・内線番号記憶部
１３・・・・・メニュー画面表示部
１４・・・・・タッチパネル
１５・・・・・制御部
３、５３・・・・・外部ネットワーク
４、５４・・・・・制御装置
５１ａ、５１ｂ、５１ｃ・・・・・子機端末
６０・・・・・データ伝送部
６１・・・・・呼出通話部
６２・・・・・内線番号記憶部
６３・・・・・メニュー画面表示部
６４・・・・・タッチパネル
６５・・・・・制御部
５２・・・・・ナースコール親機
【図１】
2004235867.tif 000003
【図２】
2004235867.tif 000004
【図３】
2004235867.tif 000005
【図４】
2004235867.tif 000006
【図５】
2004235867.tif 000007
【図６】
2004235867.tif 000008